(57)【要約】【課題】取付部材をガタつきなく保持できる取付座付き成形品を成形するための成形型および取付座付き成形品を提供すること。【解決手段】取付座付き成形品の取付固定部のなかで外表面に連続する部分を、取付座付き成形品用成形型の端側成形部で成形し、取付座付き成形品の取付固定部のなかで内表面に連続する部分を、取付座付き成形品用成形型の基側成形部で成形し、端側成形部を裏型に設けるとともに、基側成形部をスライド型に設ける。【選択図】図２
2008087219.tif 000002
【特許請求の範囲】
【請求項１】
基体と、該基体の裏面側に一体成形されてなり相手材に取り付けられる取付部材を保持する取付座と、を持つ取付座付き成形品を成形するための成形型であって、
該取付座は、該基体から延びる立壁部と、該立壁部の頂部に一体化されている頂壁部と、該頂壁部の肉厚方向に貫通形成され相手材に取り付けられる取付部材が挿入保持される取付固定部と、を持ち、
該取付固定部は、孔からなるか、または、孔と該孔よりも狭幅であり該頂壁部のなかで該立壁部に一体化されている端部以外の端部に開口するとともに該孔に連絡するスリットとからなり、
該成形型は、該基体の表面を成形する表型と、該基体の該裏面の一部と該立壁部および該頂壁部の外表面とを成形する裏型と、該表型と該裏型とに対してスライド自在であり該立壁部および該頂壁部の内表面を成形するスライド型と、を持ち、
該表型と該裏型との型開き方向は、該取付部材を該相手材に取り付ける取付方向に対して所定の傾斜角で傾斜する方向であり、
該スライド型は、該取付固定部の周壁のなかで該内表面に連続する部分を成形するための基側成形部を持ち、
該裏型は、該取付固定部の周壁のなかで該外表面に連続する部分を成形するための端側成形部を持ち、
該端側成形部は、該型開き方向側の部分に、該傾斜角以上の角度で傾斜する傾斜壁を持ち、
該基側成形部は該取付方向に沿って延びることを特徴とする取付座付き成形品用成形型。
【請求項２】
請求項１に記載の成形型で成形されてなり、
前記取付固定部の周壁のなかで前記内表面に連続する部分は、前記取付方向に沿って延びることを特徴とする取付座付き成形品。
【発明の詳細な説明】
【技術分野】
【０００１】
本発明は、取付座付き成形品を成形するための成形型と、この成形型で成形される成形品とに関する。
【背景技術】
【０００２】
取付座付き成形品は基体と取付座とをもつ成形品である。取付座付き成形品は、取付座に保持された取付部材を介して、相手材に取り付けられる（例えば、特許文献１参照）。一般には、取付座付き成形品における基体と取付座とは、一体成形されてなる。図１１に示すように、一般的な取付座付き成形品における取付座２００は、基体１００の裏面１００ａから延びる立壁部３００と、立壁３００の頂部に一体化されている頂壁部４００と、頂壁部の肉厚方向に貫通形成されている取付固定部５００と、を持つ。取付固定部５００は、取付部材９００を挿入保持するための部分である。
【０００３】
図１１に示す一般的な取付座付き成形品を成形するための成形型は、図１２に示すように、表型６００と裏型７００とスライド型８００とからなる。表型６００は基体１００の表面１００ｂを成形する。裏型７００は基体１００の裏面１００ａの一部と、立壁部３００および頂壁部４００の外表面３００ａと、取付固定部５００の周壁５００ａと、を成形する。スライド型８００は、立壁部３００および頂壁部４００の内表面３００ｂを成形する。スライド型８００は、表型６００と裏型７００とに対してスライド自在である。
【０００４】
ところで、基体１００の形状によっては、表型６００と裏型７００との型開き方向が、取付部材９００を相手材に取り付ける取付方向に対して所定の傾斜角で傾斜する場合がある。図１２に示す成形型において、表型６００と裏型７００との型開き方向は、矢印Ｘ方向である。取付方向は矢印Ｙ方向である。矢印Ｘ方向は矢印Ｙ方向に対して所定の傾斜角θで傾斜している。この場合には、取付固定部５００の周壁５００ａのなかで型開き方向側の部分（図１３中右側部分、開き側周壁部５００ｃと呼ぶ）は、傾斜角θ以上の角度で傾斜した形状に形成される。表型６００と裏型７００とを型開きする際に、開き側周壁部５００ｃが裏型７００に干渉しないようにするためである。
【０００５】
しかし、開き側周壁部５００ｃを傾斜した形状にすると、図１３に示すように、取付固定部５００の周縁部のなかで開き側周壁部５００ｃの部分の肉厚が小さくなる。特に、開き側周壁部５００ｃのなかで基体１側の部分を傾斜した形状にすると、取付固定部５００の周縁部のなかで開き側周壁部５００ｃ側の部分が著しく薄肉になる。この場合、取付固定部５００の周縁部が取付部材９００に押圧されて潰れる場合がある。取付固定部５００の周縁部が潰れると、取付固定部５００の外径が大きくなり、取付部材９００をガタつきなく固定できなくなる可能性がある。
【特許文献１】特開２０００−１９８４６６号公報
【発明の開示】
【発明が解決しようとする課題】
【０００６】
本発明は上記事情に鑑みて成されたものであり、取付部材をガタつきなく保持できる取付座付き成形品を成形するための成形型および取付座付き成形品を提供することを目的とする。
【課題を解決するための手段】
【０００７】
上記課題を解決する本発明の取付座付き成形品用成形型は、基体と、基体の裏面側に一体成形されてなり相手材に取り付けられる取付部材を保持する取付座と、を持つ取付座付き成形品を成形するための成形型であって、取付座は、基体から延びる立壁部と、立壁の頂部に一体化されている頂壁部と、頂壁部の肉厚方向に貫通形成され相手材に取り付けられる取付部材が挿入保持される取付固定部と、を持ち、取付固定部は、孔からなるか、または、孔と孔よりも狭幅であり頂壁部のなかで立壁部に一体化されている端部以外の端部に開口するとともに孔に連絡するスリットとからなり、成形型は、基体の表面を成形する表型と、基体の裏面の一部と立壁部および頂壁部の外表面とを成形する裏型と、表型と裏型とに対してスライド自在であり立壁部および頂壁部の内表面を成形するスライド型と、を持ち、表型と裏型との型開き方向は、取付部材を相手材に取り付ける取付方向に対して所定の傾斜角で傾斜する方向であり、スライド型は、取付固定部の周壁のなかで内表面に連続する部分を成形するための基側成形部を持ち、裏型は、取付固定部の周壁のなかで外表面に連続する部分を成形するための端側成形部を持ち、端側成形部は、型開き方向側の部分に、傾斜角以上の角度で傾斜する傾斜壁を持ち、基側成形部は取付方向に沿って延びることを特徴とする。
【０００８】
上記課題を解決する本発明の取付座付き成形品は、本発明の取付座付き成形品用成形型で成形されてなり、上記取付固定部の周壁のなかで上記内表面に連続する部分は、上記取付方向に沿って延びることを特徴とする。
【発明の効果】
【０００９】
本発明の取付座付き成形品用成形型（以下、本発明の成形型と略する）では、取付固定部の周壁を、裏型の一部（端側成形部）と、スライド型の一部（基側成形部）と、で成形している。基側成形部は、取付固定部の周壁のなかで内表面に連続する部分を成形する。また、端側成形部は、取付固定部の周壁のなかで外表面に連続する部分を成形する。
【００１０】
基側成形部は取付方向に沿って延びるため、取付固定部の周壁のなかで基側成形部で成形される部分（取付固定部のなかで内表面に連続する部分、以下、基側周壁部と呼ぶ）は、取付方向と平行に延びる。よって、本発明の成形型で成形した成形品（以下、本発明の成形品と略する）は、取付固定部の周縁部が厚肉に形成され、取付部材をガタつきなく保持できる。
【００１１】
また、本発明の成形型では、端側成形部によって、取付固定部の周壁のなかで外表面に連続する部分（以下、端側周壁部と呼ぶ）を成形する。このため、本発明の成形型によると、孔からなるか、または、孔とスリットとからなる取付固定部を、容易に成形できる。なお、取付固定部が孔からなる場合には、取付部材を取付固定部に圧入して挿入保持させればよい。また、取付固定部が孔とスリットとからなる場合には、取付部材をスリットから孔に向けてスライド挿入し、取付固定部に挿入保持させればよい。何れの場合にも、取付固定部に挿入保持された取付部材は、孔の周壁やスリットの周壁と係止する。このため、取付固定部が取付部材から脱離することはない。
【発明を実施するための最良の形態】
【００１２】
以下、本発明の成形型および成形品を図面を基に説明する。
【００１３】
（実施例１）
実施例１の成形品は実施例の成形型で成形されてなる。実施例１の成形品を模式的に表す斜視図を図１に示す。実施例１の成形品を実施例の成形型で成形している様子を模式的に表す断面図を図２〜図３に示す。詳しくは、図２は、実施例１の成形品のなかで図１中Ａ−Ａで切断した部分を実施例の成形型で成形している様子を模式的に表す。図３は、実施例１の成形品のなかで図１中Ｂ−Ｂで切断した部分を実施例の成形型で成形している様子を模式的に表す。実施例１の成形品における取付固定部を模式的に表す説明図を図４に示す。詳しくは、図４（ａ）は実施例１の成形品における取付固定部を図１中上方から見た様子を表す。図４（ｂ）は実施例１の成形品における取付固定部を図４（ａ）中Ａ−Ａ位置で切断した様子を表す。図４（ｃ）は実施例１の成形品における取付固定部を図４（ａ）中Ｂ−Ｂ位置で切断した様子を表す。実施例１の成形型における基側成形部と端側成形部とを模式的に表す要部拡大斜視図を図５に示す。実施例１の成形品における取付固定部を模式的に表す要部拡大断面図を図６に示す。以下、実施例１において上、下、左、右、前、後とは、図１に示す上、下、左、右、前、後を指す。
【００１４】
実施例１の成形品は、基体１と取付座２とを持つ。基体１は湾曲した板状をなす。取付座２は基体１の裏面１０側に一体形成されてなる。
【００１５】
取付座２は、立壁部３と頂壁部４と取付固定部５とを持つ。立壁部３は基体１から延びる。立壁部３を基体１の裏面に沿って切断した断面はコ字状をなす。頂壁部４は矩形の板状をなす。頂壁部４の３つの端部は立壁部３の頂部に一体化されている。頂壁部４の一端部である抜き側端部４０は、立壁部３の頂部に一体化されていない。
【００１６】
取付固定部５は、頂壁部４に貫通形成されている。取付固定部５は孔５０とスリット５１とからなる。図４（ａ）に示すように、スリット５１は孔５０よりも狭幅であり、スリット５１の一端は頂壁部４の抜き側端部４０に開口している。スリット５１の他端は孔５０に連絡している。
【００１７】
実施例１の成形型は、図２に示すように、表型６と裏型７とスライド型８とを持つ。スライド型８は表型６と裏型７とに対してスライド自在である。詳しくは、スライド型８は図２中手前方向と奥方向（図１における前方向と後ろ方向）とにスライドする。表型６は基体１の表面１１を成形する。裏型７は、一般裏成形部７０と端側成形部７１とを持つ。一般裏成形部７０は、基体１の裏面１０の一部と、立壁部３および頂壁部４の外表面３０と、を成形する部分である。端側成形部７１は、取付固定部５の周壁５２のなかで外表面３０に連続する部分を成形する部分である。スライド型８は、一般スライド成形部８０と、基側成形部８１とを持つ。一般スライド成形部８０は、立壁部３および頂壁部４の内表面３１を成形するとともに、基体１の裏面１０のなかで立壁部３と頂壁部４とに囲まれている部分を成形する。基側成形部８１は、取付固定部５の周壁５２のなかで内表面３１に連続する部分を成形する。ここで、立壁部３および頂壁部４の内表面３１とは、頂壁部４における基体１側の表面と、頂壁部４における基体１側の表面１１に連続する立壁部３の一表面と、を指す。また、立壁部３および頂壁部４の外表面３０とは、立壁部３および頂壁部４のなかで内表面３１以外の表面を指す。
【００１８】
実施例１の成形型において、表型６と裏型７との型開き方向（図２中Ｙ方向）は、取付部材を相手材に取り付ける取付方向（図２中Ｘ方向）に対して、所定の傾斜角（θ）で傾斜する。図５に示すように、端側成形部７１は、型開き方向側（図２中右側）の部分に、傾斜角θで傾斜する傾斜壁７５を持つ。図２に示すように、基側成形部８１は取付方向Ｘに沿って延びる。
【００１９】
上述したように、端側成形部７１は取付固定部５の周壁５２のなかで外表面３０に連続する部分（端側周壁部５５）を成形する。詳しくは、端側成形部７１は、孔５０の周壁のなかで外表面３０に連続する部分（図２に示す周壁５２の上側部分）と、スリット５１の周壁のなかで外表面３０に連続する部分（図３に示す周壁５２の上側部分）とを成形する。また、基側成形部８１は取付固定部５の周壁５２のなかで内表面３１に連続する部分（基側周壁部５６）を成形する。詳しくは、基側成形部８１は、孔５０の周壁のなかで内表面３１に連続する部分（図２に示す周壁５２の下側部分）と、スリット５１の周壁のなかで内表面３１に連続する部分（図３に示す周壁５２の下側部分）とを成形する。このため、実施例の成形品における取付固定部５は、孔５０およびスリット５１の周壁のなかで外表面３０に連続する部分（端側周壁部５５）と内表面３１に連続する部分（基側周壁部５６）とが、異なる形状になる。
【００２０】
端側周壁部５５は、型開き方向側とは逆側の部分（図２および図３中左側）が取付方向Ｘに沿って延び、型開き方向側（図２および図３中右側）の部分が取付方向Ｘに対して所定の傾斜角θで傾斜する形状に形成される。このため、表型６と裏型７とを型開きする際にも、端側周壁部５５が裏型７に干渉することはない。
【００２１】
実施例１の成形品は、孔５０の周縁部が取付部材９と係止して取付部材９を固定する。取付部材９は、相手材に係止する頭部９０と、孔５０の周縁部と係止する脚部９１とを持つ。図６に示すように、脚部９１は、第１固定部９１０と、第２固定部９１１と、頸部９１２とを持つ。第１固定部９１０および第２固定部９１１の外径は、孔５０の内径よりも大径である。また、第１固定部９１０と第２固定部９１１とは軸方向に離間して配置され、頸部９１２で連結されている。頸部９１２の外径は孔５０の内径とほぼ同じであり、スリット５１の幅よりも大きい。実施例１の成形品に取付部材９を取り付ける際には、取付部材９の頸部９１２を、スリット５１の開口している部分（抜き側端部４０側の部分）にあてて、スリット５１から孔５０に向けて圧入する。頸部９１２が孔５０に収容されると、取付部材９の第１固定部９１０と第２固定部９１１とが孔５０の周縁部を挟み、頸部９１２が孔５０の周壁と係止する。このため、取付部材９は取付固定部５に挿入保持される。また、スリット５１の幅は頸部９１２の外径よりも小さいため、孔５０に収容された頸部９１２がスリット５１を逆走することはない。よって一旦取付固定部５に挿入保持された取付部材９は、取付固定部５から脱離しない。
【００２２】
基側周壁部５６は取付方向Ｘに沿って延びる。したがって、図６に示すように、取付固定部５の周縁部は厚肉に形成され、取付部材９をガタつきなく保持できる。なお、端側周壁部５５のなかで型開き方向の逆側（図６中左側）の部分は、基側周壁部５６と同様に取付方向Ｘに沿って延びる。このことによっても、実施例１の成形品は、取付部材９をガタつきなく保持できる。
【００２３】
なお、実施例１の成形品は、取付固定部５の基側周壁部５６がスライド型８の基側成形部８１で成形されてなる。このため、図４（ｃ）に示すように、頂壁部３におけるスライド型８の移動領域（スリット５１の内表面３１側に形成される部分）には、スライド型８の幅方向（図４中左右方向）に肉抜きされた肉抜き部３５が形成される。しかし、上述したようにスリット５１は取付部材９と係止する部分ではないため、スリット５１の内表面３１側に肉抜き部３５が形成されても、取付固定部５によって取付部材９を安定に保持できる。
【００２４】
（実施例２）
実施例２の成形型は、端側成形部および基側成形部の形状以外は実施例１の成形型と同じである。また、実施例２の成形品は取付固定部の形状以外は実施例１の成形品と同じである。実施例２の成形品における取付固定部を模式的に表す説明図を図７に示す。実施例２の成形型における基側成形部および端側成形部を模式的に表す要部拡大斜視図を図８に示す。
【００２５】
図８に示すように、実施例２の成形型における端側成形部７１の径方向断面は、略円状または楕円状をなす。すなわち、実施例２の成形型における端側成形部７１は、孔５０の周壁のなかで外表面に連続する部分のみを成形する。基側成形部８１は、孔５０の周壁のなかで内表面に連続する部分と、スリット５１の周壁全体とを成形する。したがって、実施例２の成形品における端側周壁部５５は、孔５０の周壁の一部のみからなる（図７）。
【００２６】
実施例２の成形品は、基側成形部８１によってスリット５１の周壁全体が成形されるため、スリット５１の周壁全体が取付方向に延びる。このため、取付部材を取付固定部５に取り付ける際に、頸部がスリット５１の周縁部に強く圧接しても、スリット５１の周縁部が潰れることはない。このため、一旦取付固定部５に挿入保持された取付部材が、取付固定部５から脱離する可能性はより一層低くなる。よって、実施例２の成形品は、取付部材をより一層安定に保持できる。
【００２７】
（実施例３）
実施例３の成形型は、端側成形部および基側成形部の形状以外は実施例１の成形型と同じである。また、実施例３の成形品は取付固定部の形状以外は実施例１の成形品と同じである。実施例３の成形品における取付固定部を模式的に表す説明図を図９に示す。実施例３の成形型における基側成形部および端側成形部を模式的に表す要部拡大斜視図を図１０に示す。
【００２８】
図１０に示すように、実施例３の成形型における端側成形部７１の径方向断面は、略円状または楕円状をなす。すなわち、実施例３の成形型における端側成形部７１は、孔５０の周壁のなかで外表面に連続する部分のみを成形する。基側成形部８１は孔５０の周壁のなかで内表面に連続する部分のみを成形する。したがって、実施例３の成形品における取付固定部５は孔５０のみからなり、実施例３の成形品における端側周壁部５５は孔５０の周壁の一部のみからなる（図９）。
【００２９】
実施例３の成形品は、取付固定部５が孔５０のみからなりスリットを持たないため、実施例３の成形品に取付部材を取り付ける際には、取付部材の脚部を直接孔５０に圧入すればよい。
【００３０】
実施例３の成形品は、実施例１〜２の成形品と同様に、取付固定部５のなかで基側成形部８１で成形された部分、すなわち基側周壁部が、取付方向Ｘに沿って延びる。したがって、実施例３の成形品は、実施例１〜２の成形品と同様に、取付固定部５の周縁部が厚肉に形成され、取付部材９をガタつきなく保持できる。
【図面の簡単な説明】
【００３１】
【図１】実施例１の取付座付き成形品を模式的に表す斜視図である。
【図２】実施例１の取付座付き成形品を、実施例の取付座付き成形品用成形型で成形している様子を模式的に表す断面図である。
【図３】実施例１の取付座付き成形品を、実施例の取付座付き成形品用成形型で成形している様子を模式的に表す断面図である。
【図４】実施例１の取付座付き成形品における取付固定部を模式的に表す説明図である。
【図５】実施例１の取付座付き成形品用成形型における基側成形部と端側成形部とを模式的に表す要部拡大斜視図である。
【図６】実施例１の取付座付き成形品における取付固定部を模式的に表す要部拡大断面図である。
【図７】実施例２の取付座付き成形品における取付固定部を模式的に表す説明図である。
【図８】実施例２の取付座付き成形品用成形型における基側成形部および端側成形部を模式的に表す要部拡大斜視図である。
【図９】実施例３の取付座付き成形品における取付固定部を模式的に表す説明図である。
【図１０】実施例３の取付座付き成形品用成形型における基側成形部および端側成形部を模式的に表す要部拡大斜視図である。
【図１１】従来の取付座付き成形品を模式的に表す斜視図である。
【図１２】従来の取付座付き成形品を、従来の取付座付き成形品用成形型で成形している様子を模式的に表す断面図である。
【図１３】従来の取付座付き成形品における取付固定部を模式的に表す要部拡大断面図である。
【符号の説明】
【００３２】
１：基体                                      ２：取付座
３：立壁部                                    ４：頂壁部
５：取付固定部                                ６：表型
７：裏型                                      ８：スライド型
９：取付部材                                  １０：基体の裏面
１１：基体の表面                              ３０：立壁部および頂壁部の外表面
３１：立壁部および頂壁部の内表面              ５０：孔
５１：スリット                                ５２：取付固定部の周壁
７１：端側成形部                              ７５：傾斜壁
８１：基側成形部                              Ｙ：型開き方向
Ｘ：取付方向                                  θ：傾斜角
【図１】
2008087219.tif 000003
【図２】
2008087219.tif 000004
【図３】
2008087219.tif 000005
【図４】
2008087219.tif 000006
【図５】
2008087219.tif 000007
【図６】
2008087219.tif 000008
【図７】
2008087219.tif 000009
【図８】
2008087219.tif 000010
【図９】
2008087219.tif 000011
【図１０】
2008087219.tif 000012
【図１１】
2008087219.tif 000013
【図１２】
2008087219.tif 000014
【図１３】
2008087219.tif 000015